(57)【要約】【課題】  過大な深剃りを防ぎつつ、外刃を皮膚に軽く当てて使用する時にも良好な剃り味を得る。【解決手段】  本体（１０）に装着された外刃枠（１８）と、この外刃枠（１８）に保持され上面を剃り面とする環状の薄肉層（２８ａ、２８ｂ）に髭導入孔（３０ａ、３０ｂ）を有する外刃（１４）と、薄肉層の下面に摺接しつつ回転し髭導入孔に入った髭を切断する刃体を有する内刃（１６）とを備え、髭導入孔（３０ａ、３０ｂ）は薄肉層（２８ａ、２８ｂ）をほぼ半径方向に横断する略スリット状でかつスリット幅が薄肉層（２８ａ、２８ｂ）の半径方向の横断幅内の両端で狭く中間部の少なくとも一部で広く形成されている。【選択図】      図３
2006218218.tif 000002
【特許請求の範囲】
【請求項１】
本体に装着された外刃枠と、この外刃枠に保持され上面を剃り面とする環状の薄肉層に髭導入孔を有する外刃と、前記薄肉層の下面に摺接しつつ回転し前記髭導入孔に入った髭を切断する刃体を有する内刃とを備えたロータリー式電気かみそりにおいて、
前記髭導入孔は前記薄肉層をほぼ半径方向に横断する略スリット状でかつスリット幅が前記薄肉層の半径方向の横断幅内の両端で狭く中間部の少なくとも一部で広く形成されていることを特徴とするロータリー式電気かみそり。
【請求項２】
髭導入孔は、外刃の半径方向に対して一定半径上で内刃の回転方向に一定角度傾いた直線に沿って形成されている請求項１のロータリー式電気かみそり。
【請求項３】
外刃は環状かつ同心の複数の薄肉層を持ち、髭導入孔は両薄肉層を略半径方向に横断する長い髭導入孔と、隣接する長い髭導入孔の間で外側の薄肉層だけを横断する短い髭導入孔とを持つ請求項１のロータリー式電気かみそり。
【発明の詳細な説明】
【技術分野】
【０００１】
この発明は、外刃に形成した環状の薄肉層の上面を剃り面とし、この薄肉層の下面に下方から内刃を摺接させつつ回転させ、薄肉層に形成された髭導入孔に進入した髭を内刃でカットするロータリー式電気かみそりに関するものである。
【背景技術】
【０００２】
この種の電気かみそりにおいて、外刃の薄肉層に形成した髭導入孔をスリット状とし、この髭導入孔（以下スリットともいう）に皮膚が強く押し付けられた時に皮膚がスリットから入り込み、内刃によって過度に深剃りされたり、髭剃り後に皮膚にヒリヒリ感が発生することがある。このような不都合が発生するのを防ぐためには外刃を厚くすればよいのは明らかである。ここに外刃を厚くすることは、スリットを挟むリブの厚さ方向の寸法（内刃の回転軸線に平行な方向の寸法）を大きくすることである。しかしこのようにすると皮膚と内刃との距離が大きくなるため、髭を適度に深剃りすることができなくなるという問題が生じる。
【０００３】
【特許文献１】特開平１１−４９８０
【０００４】
このような不都合を防ぐため、特許文献１では図５に示すように、外刃１に形成した上方に凸な環状の薄肉層１Ａ、１Ｂの下面を中心軸線Ａを中心とする複数の同心円状の内刃走行溝２（２ａ、２ｂ）とし、最外周側の内刃走行溝２ａに設けたスリット状刃３ａ（リブ）を厚くし最内周側の内刃走行溝２ｂに設けたスリット状刃３ｂを薄くすることが提案されている。なお図５で４は内刃、４ａ、４ｂは内刃走行溝２ａ、２ｂに下から摺接しつつ走行する小刃である。また薄肉層１Ａ、１Ｂは実際は極めて薄いものであるが、図５では理解し易くするため厚さを誇張して示している。
【０００５】
図６はこの外刃１の平面図である。この外刃１の上面には中心軸線Ａを中心とする２つの環状の薄肉層１Ａ、１Ｂが形成され、その上面は剃り面５（５ａ、５ｂ）となり、下面は内刃走行溝２ａ、２ｂとなる。２つの剃り面５ａ、５ｂの間には上面に開く環状溝６が形成されている。
【０００６】
薄肉層１Ａ、１Ｂにはスリット状の長い髭導入孔７ａが略半径方向に横断している。外側の薄肉層１Ａには、隣接する長い髭導入孔７ａ、７ｂの間にあって略半径方向に短い髭導入孔７ｂが形成されている。外側の薄肉層１Ａのスリット状刃３ａは長い髭導入孔７ａと短い髭導入孔７ｂとの間に形成される。内側の薄肉層１Ｂのスリット状刃３ｂは、長い髭導入孔７ａ、７ａの間に形成される。
【０００７】
この特許文献１に示されたものは、電気かみそりは薄肉層１Ａ、１Ｂの上面である剃り面５ａ、５ｂを顔の髭剃り部に押し当てて移動させる時に皮膚が外刃の外周に当たって皺が生じ外刃の外周側で押圧力が大きくなることから、外刃の外周側の肉厚を厚くして過度な深剃りを防ぐものである。また内周側では押圧力が小さくなることに着目し、外刃の内周側の肉厚を薄くすることにより、この内周側で適度な深剃りを可能にするものである。
【発明の開示】
【発明が解決しようとする課題】
【０００８】
特許文献１に示されたものでは、外刃を皮膚に当てて移動させた時に外刃の外周縁に皮膚が皺になって当たって押圧力が大きくなるという使用状態を想定していた。しかし実際の使用状況下では外刃を軽く皮膚に当てて移動することも多く、この場合には外刃の外周縁に大きな皺はできず剃り味の向上も不十分であった。
【０００９】
この発明はこのような事情に鑑みなされたものであり、過大な深剃りを防ぎつつ、外刃を皮膚に軽く当てて使用する時にも良好な剃り味を得ることができるロータリー式電気かみそりを提供することを目的とする。
【課題を解決するための手段】
【００１０】
この発明によればこの目的は、本体に装着された外刃枠と、この外刃枠に保持され上面を剃り面とする環状の薄肉層に髭導入孔を有する外刃と、前記薄肉層の下面に摺接しつつ回転し前記髭導入孔に入った髭を切断する刃体を有する内刃とを備えたロータリー式電気かみそりにおいて、前記髭導入孔は前記薄肉層をほぼ半径方向に横断する略スリット状でかつスリット幅が前記薄肉層の半径方向の横断幅内の両端で狭く中間部の少なくとも一部で広く形成されていることを特徴とするロータリー式電気かみそり、により達成される。
【発明の効果】
【００１１】
髭導入孔は、薄肉層をほぼ半径方向に横断する略スリット状であるが、このスリットは剃り面の横断幅内でスリット幅を長手方向の両端で狭く中間部の少なくとも一部で広く形成したものであるから、外刃を皮膚に押し当てて移動した時に外刃の外周縁にできる皮膚の皺が狭いスリット幅の部分（狭幅部）から髭導入孔に進入しにくい。このため過大な深剃りが発生しにくくなる。また外刃を皮膚に軽く押し当てた時には、剃り面の横断幅内の中間部にスリット幅が広い部分（拡幅部）があるので、皮膚がこの広いスリット部分に深く進入し適度な深剃りが可能である。
【００１２】
また髭導入孔は薄肉層の横断幅内の両端でスリット幅が狭く、外刃を皮膚に押し当てて移動した時に外刃の外周縁にできる皮膚の皺が髭導入孔に入りにくいため、外刃の刃厚を薄くすることが可能になる。このため髭を適切に深剃りすることが可能になる。
【発明を実施するための最良の形態】
【００１３】
髭導入孔は、外刃の半径方向に対して一定半径上で内刃の回転方向に一定角度傾けた直線に沿って形成するのが望ましい（請求項２）。すなわち髭導入孔は外周側が内周側より内刃の回転方向に偏位するので、内刃の刃先でカットされた髭屑は外周側へ飛ばされ易くなる。このため内刃の中心側に髭屑が集まりにくくなり、髭屑の掃除がし易くなる。
【００１４】
外刃には環状かつ同心の複数の剃り面を設けてもよい。この場合髭導入孔は両剃り面を略半径方向に横断する長いものとすることができる。しかしこの場合には周径が長い外側の剃り面で隣接する髭導入孔の間隔が過大になる。そこで外側の剃り面には長い髭導入孔の間に短い髭導入孔を形成しておくのがよい（請求項３）。
【実施例１】
【００１５】
図１は本発明の一実施例の外観斜視図、図２は外刃と内刃を組合せた刃ユニットの側断面図、図３は１つの外刃の平面図、図４はその一部拡大断面図である。
【００１６】
図１において符号１０は本体、１２はその上部に開閉可能または着脱可能に取り付けられた刃ヘッド部である。この刃ヘッド部１２には、外刃１４，後記する内刃１６などで形成される刃ユニット１７が３組取付けられている。３つの刃ユニット１７に対応する外刃１４はその中心が正三角形の頂点に位置する。
【００１７】
刃ヘッド部１２は本体１０に対して上方へ開閉可能または着脱可能な外刃枠１８（図１）を持つ。外刃１４は外刃枠１８に形成された３つの外刃装着孔に装着されている。この外刃１４を含む刃ユニット１７は上向き、すなわち外刃１４が上方へ突出する方向に付勢されている。
【００１８】
外刃１４は金属板で上方へ凸な略碗状に作られている（図２，３）。外刃１４の上部は円形であり、この円形部分の中央には略円形の開口２０が形成され、ここに上からキャップ２２が固定されている。キャップ２２の下面には係合孔２４が形成されている。この係合孔２４には後記する内刃１６の先端が係入して内刃１６の軸振れを防いでいる。
【００１９】
外刃１４の円形の上部には、上から見て内刃１６の回転中心となる中心軸線Ａを中心とする１つの環状溝２６が形成され（図２）、この環状溝２６を挟んで内・外一対の環状の剃り面となる薄肉層２８ａ、２８ｂ（図３）が形成される。薄肉層２８ａ、２８ｂの上面が剃り面となり下面が後記内刃走行溝３４ａ、３４ｂとなる。
【００２０】
外刃１４には、その中心軸線Ａ（図２）から前記薄肉層２８ａ、２８ｂを横断してほぼ放射方向に多数のスリット状の長い髭導入孔３０ａと、外側の薄肉層２８ｂだけを横断する短い髭導入孔３０ｂが形成されている。すなわち短い髭導入孔３０ｂは長い髭導入孔３０ａと交互に配置されている。これら髭導入孔３０ａ、３０ｂは、図３で中心軸線Ａを通る半径方向の直線Ｂに対して一定半径の円Ｃ上で内刃１６の回転方向Ｒに一定角度θ傾いた直線Ｄに沿って形成されている。
【００２１】
これらの髭導入孔３０ａ、３０ｂは、薄肉層２８ａ、２８ｂの半径方向の横断幅内の両端にスリット幅が狭い狭幅部Ｅ、Ｆを持ち、中間部にスリット幅が拡大した１つの拡幅部Ｇを持つ（図４）。なおこれら狭幅部Ｅ、Ｆおよび拡幅部Ｇは、それぞれの薄肉層２８ａ、２８ｂに対して別々に形成されている。拡幅部Ｇはこの実施例では図３，４に示すように平面視でほぼ長い樽形である。
【００２２】
内側の薄肉層２８ａ上で隣接する髭導入孔３０ａ、３０ａの間、および外側の薄肉層２８ｂ上で隣接する髭導入孔３０ａ、３０ｂの間に残ったリブ３２ａ、３２ｂの下面が内刃１６と協働して髭をカットする刃となる。
【００２３】
外刃１４の上面すなわちリブ３２ａ、３２ｂの上面は、図２に示すように中心軸線Ａに直交する（中心軸線Ａが垂線となる）平面上に位置する。すなわちリブ３２ａ、３２ｂの上面は平坦である。
【００２４】
外刃１４の薄肉層２８ａ、２８ｂの下面（すなわちリブ３２ａ、３２ｂの下面）は、それぞれ内刃走行溝（環状のトラック）３４ａ、３４ｂとなっている。これら内刃走行溝３４ａ、３４ｂは下から（内側から）見てその内面（底面）が中心軸線Ａに対して直交する１つの平面Ｈに載る面となっている。この平面Ｈはリブ３２ａ、３２ｂの下面に一致する。この下面は砥石によって研磨され、リブ３２ａ、３２ｂの下縁に刃が形成されている。
【００２５】
内刃１６は下方に向かって開く樹脂製のボス部３６と、このボス部３６を囲んで周方向に等間隔に固定された多数の刃体３８とを持つ。多数の刃体３８は環状に連結したものであってもよい。刃体３８は上部が二股状に分岐し、これら分岐した部分である２つの小刃４０ａ、４０ｂがそれぞれ内刃走行溝（トラック）３４ａ、３４ｂに下方から摺接する。これら小刃４０ａ、４０ｂの上縁は前記平面Ｈに沿って水平に研磨された刃すなわち刃先４０Ａ、４０Ｂとなる。
【００２６】
内刃の小刃４０ａ、４０ｂは図３に示すように、中心軸線Ａを通る半径方向の直線Ｉ上に位置する。厳密に言えば、内刃１６は図３で時計方向Ｒに回転し、小刃４０ａ、４０ｂのこの回転方向Ｒ側の上縁が刃先４０Ａ、４０Ｂとなり、直線Ｉ上に位置する。従って内刃１６がＲ方向に回転すれば、小刃４０ａ、４０ｂの刃先４０Ａ、４０Ｂと髭導入孔３０ａ、３０ｂとの挟み角は髭導入孔３０ａ、３０ｂの一定半径の円Ｃ上で傾き角θに等しくなる。内刃１６の回転に伴って刃先４０Ａ、４０Ｂと髭導入孔３０ａ、３０ｂとの交叉位置が半径方向外側へ移動するので、この挟み角（＝θ）は内刃１６の回転と共に変化するが、この挟み角θは常に半径方向外側に向かって開く鋭角であるから、髭の切れ味が良い。
【００２７】
図２において、ボス部３６には下方に向かって開く平面視四角形の係合孔４２が形成され、ここに本体１０から突出する駆動軸４４が係合する。この駆動軸４４の上端には四角球状の係合頭部４６が形成され、これがボス部３６の係合孔４２に下から係入する。駆動軸４４は本体内１０に収容されたモータ（図示せず）により回転駆動され、内刃１６を回転させる。
【００２８】
駆動軸４４は上方へ突出する向きに復帰習性を持ち、内刃１６を上向きに押圧する。このため内刃１６の小刃４０ａ、４０ｂが外刃１４の内刃走行溝３４ａ、３４ｂを下方から弾性的に押圧する。なお外刃１４はその外周に外径方向に突出するフランジ４８が形成され、フランジ４８が外刃枠１８の外刃装着孔（図示せず）の内部に下方から係合している。このため外刃１４および内刃１６を含む刃ユニット１７は外刃枠１８に対して弾性をもって下方へ沈み込み可能である。
【００２９】
この実施例によれば、外刃の髭導入孔３０ａ、３０ｂに、刃形成領域２８ａ、２８ｂの半径方向の横断幅内の両端にスリット幅が狭い狭幅部Ｅ、Ｆを設けたから、外刃１４を皮膚に押し当てて移動させた時に、皮膚が髭導入孔３０ａ、３０ｂに入りにくい。このため過度な深剃りを防ぐことができる。またこのため外刃１４の厚さ、すなわちリブ３２ａ、３２ｂの中心軸線Ａと平行な方向の寸法を小さくすることができるので、剃り味を向上させることが可能である。
【００３０】
また薄肉層２８ａ、２８ｂの半径方向の横断幅内の中間部に拡幅部Ｇを設けたから、外刃１６を皮膚に押し付けた時には、髭はこの拡幅部Ｇに十分深く進入する。このため適度な深剃りも可能である。
【００３１】
なお本発明はこの実施例に限定されるものではないのは勿論である。例えば髭導入孔３０ａ、３０ｂの拡幅部Ｇの形状は樽形に代えて長い楕円形、角を滑らかにした長方形などであってもよい。ただし皮膚を保護するためには狭幅部Ｅ、Ｆと拡幅部Ｇとの連結部分はできるだけ滑らかにするのが望ましい。このような外刃は例えばエッチングにより加工することができる。
【００３２】
外刃は２つの薄肉層２８ａ、２８ｂ、および内刃走行溝３４ａ、３４ｂ、を有するものに限定されない。また外刃の上面の剃り面は平面上に位置させたものに限定されず、中心軸線Ａを含む半径方向の平面で断面した縦断面上で上方または下方に凸な曲面としてもよい。
【図面の簡単な説明】
【００３３】
【図１】本発明の一実施例の外観斜視図
【図２】刃ユニットの側断面図
【図３】１つの外刃の正面図
【図４】そのIV矢視部の拡大断面図
【図５】従来技術を示す側断面図
【図６】同じく外刃の平面図
【符号の説明】
【００３４】
１０  本体
１２  ヘッド部
１４  外刃
１６  内刃
１７  刃ユニット
１８  外刃枠
２６  環状溝
２８ａ、２８ｂ  薄肉層
３０ａ、３０ｂ  髭導入孔
３２ａ、３２ｂ  リブ
３４ａ、３４ｂ  内刃走行溝（トラック）
４０ａ、４０ｂ  小刃
４０Ａ、４０Ｂ  刃先
Ｂ、Ｉ  中心軸線Ａを通る半径方向の直線
Ｄ  髭導入孔の長手方向に沿う直線
Ａ  中心軸線
Ｈ  中心軸線に直交する平面（中心線が垂直になる平面）
Ｒ  内刃の回転方向
Ｅ、Ｆ  狭幅部
Ｇ  拡幅部
【図１】
2006218218.tif 000003
【図２】
2006218218.tif 000004
【図３】
2006218218.tif 000005
【図４】
2006218218.tif 000006
【図５】
2006218218.tif 000007
【図６】
2006218218.tif 000008